(57)【特許請求の範囲】
【請求項１】
商品販売時及び商品の仕入代金支払い時に、キャッシュカード又はデビットカードで決済可能な自動サービス機であって、
前記商品販売時の動作を制御する通常モードと前記仕入代金支払い時の動作を制御する納入モードとを切換える手段と、
前記通常モード時には、前記通常モードに対応した振込先情報に設定し、前記納入モード時には、前記納入モードに対応した振込先情報に設定する設定手段と、
前記キャッシュカード又はデビットカードから読み取った振込元情報と前記設定手段によって設定された振込先情報とに基づいて決済要求を行う制御部と、
を具備することを特徴とする自動サービス機。
【請求項２】
商品販売時及び商品の仕入代金支払い時に、キャッシュカード又はデビットカードで決済可能な自動サービス機であって、
支払代金を決済するための振込元情報をカードから読み取るカード処理手段と、
読み取ったカードの利用の正当性を示す暗証番号及び支払代金を入力する入力手段と、
支払代金を決済するための複数の振込先情報を記憶する記憶手段と、
キャッシュカード又はデビットカードを用いて商品の販売代金を販売店側の銀行口座に振り込み要求する通常モードと、
キャッシュカード又はデビットカードを用いて商品の仕入代金を納入業者側の銀行口座に振り込み要求する納入モードと、
前記通常モード時には、前記複数の振込先情報の中から前記通常モードに対応した振込先情報に設定し、前記納入モード時には、前記複数の振込先情報の中から前記納入モードに対応した振込先情報に設定する設定手段と、
外部との通信を行う通信手段と、
前記設定手段によって設定された振込先情報、カードから読み取った振込元情報、暗証番号及び振込金額を前記通信手段を介し外部へ送信して決済要求を行う制御部と、
を具備することを特徴とする自動サービス機。
【請求項３】
前記設定手段は、前記通常モード時は当該自動サービス機の管理者の銀行口座情報に対応した端末ＩＤを前記振込先情報として設定し、前記納入モード時は当該商品の納入者の銀行口座情報に対応した端末ＩＤを前記振込先情報として設定することを特徴とする請求項１又は２に記載の自動サービス機。
【発明の詳細な説明】
【０００１】
【発明の属する技術分野】
本発明は、キャッシュカードまたはデビットカード等の銀行口座に関する情報を記憶したカードにより購入商品の代金の支払が可能な自動販売機、カード処埋機、ＰＯＳレジスタ等の自動サービス機に関する。
【０００２】
【従来の技術】
自動販売機等は、利用者に商品を販売することを目的としているため、銀行口座情報が記憶されたキャッシュカードまたはデビットカード等のカードでの購入商品代金の支払を可能とした場合には、販売側である自動販売機の設置者（オーナー）の銀行口座にバンクＰＯＳ等により商品代金が振り込まれるようになっていれば良かった。そして、自動販売機で販売する商品は、商品納入会社に商品を電話またはＦＡＸ等で注文し、商品納入会社によって商品が納入された後に数日遅れで販売店が請求金額（商品の仕入代金）を現金または銀行に出向いて振込処理等を行って支払っている。
【０００３】
また、ＰＯＳレジスタ等においても、商品購入の支払代金は顧客のキャッシュカードで支払い可能であるが、販売店に納入される商品の請求金額（仕入代金）は商品納入された後に数日遅れで支払っている。
【０００４】
【発明が解決しようとする課題】
このように、従来のクレジットカードまたはＰＯＳレジスタ等のシステムでは、商品納入会社は販売店に商品を納入後、数日経過してから請求代金を受け取るので、販売店が支払期日の遅れなく請求金額を支払ってくれるかリスクがあり、また、販売店側も現金を用意したり、振込処理を別途行わなければならなく面倒であるという問題点がある。
【０００５】
本発明は上述のような事情からなされたものであり、本発明の目的は、商品販売に関するサービスを提供する自動サービス機（自動販売機、ＰＯＳレジスタ等）で、商品販売時だけでなく、商品納入時の取引においても請求金額（仕入代金等）の即時決済ができる自動サービス機を提供することにある。
【０００６】
【課題を解決するための手段】
本発明は、商品の販売を行う自動サービス機に関し、本発明の上記目的は、商品販売時及び商品の仕入代金支払い時に、キャッシュカード又はデビットカードで決済可能な自動サービス機であって、前記商品販売時の動作を制御する通常モードと前記仕入代金支払い時の動作を制御する納入モードとを切換える手段と、前記通常モード時には、前記通常モードに対応した振込先情報に設定し、前記納入モード時には、前記納入モードに対応した振込先情報に設定する設定手段と、前記キャッシュカード又はデビットカードから読み取った振込元情報と前記設定手段によって設定された振込先情報とに基づいて決済要求を行う制御部と、を具備することによって達成される。
【０００７】
また、本発明の上記目的は、商品販売時及び商品の仕入代金支払い時に、キャッシュカード又はデビットカードで決済可能な自動サービス機であって、支払代金を決済するための振込元情報をカードから読み取るカード処理手段と、読み取ったカードの利用の正当性を示す暗証番号及び支払代金を入力する入力手段と、支払代金を決済するための複数の振込先情報を記憶する記憶手段と、キャッシュカード又はデビットカードを用いて商品の販売代金を販売店側の銀行口座に振り込み要求する通常モードと、キャッシュカード又はデビットカードを用いて商品の仕入代金を納入業者側の銀行口座に振り込み要求する納入モードと、前記通常モード時には、前記複数の振込先情報の中から前記通常モードに対応した振込先情報に設定し、前記納入モード時には、前記複数の振込先情報の中から前記納入モードに対応した振込先情報に設定する設定手段と、外部との通信を行う通信手段と、前記設定手段によって設定された振込先情報、カードから読み取った振込元情報、暗証番号及び振込金額を前記通信手段を介し外部へ送信して決済要求を行う制御部と、を具備することによっても達成される。
【０００８】
前記設定手段は、前記通常モード時は当該自動サービス機の管理者の銀行口座情報に対応した端末ＩＤを前記振込先情報として設定し、前記納入モード時は当該商品の納入者の銀行口座情報に対応した端末ＩＤを前記振込先情報として設定することで、本発明の上記目的はより効果的に達成される。
【０００９】
【発明の実施の形態】
以下、図面に基づいて本発明の実施の形態を詳細に説明する。
【００１０】
図１は、本発明の第１実施形態に係る自動サービス機の概要を示すブロック図である。この自動サービス機は、商品（例えば、煙草）を消費者に自動的に販売するとともに、その商品の納入元等（例えば、煙草会社）に対しての商品の注文及び決済を自動的にするものである。
【００１１】
商品選択釦１は、煙草等の銘柄を選択するためのボタンである。商品投出手段２は、商品選択釦１で選択され代金が支払われた商品を排出する。表示手段３は、この自動サービス機の使用方法などを示すガイダンス、商品選択釦１または入力手段９から入力された内容、自動サービス機が利用可能状態であるかなどを表示する。
【００１２】
印字手段４は、この自動サービス機の所有者（例えば、煙草販売店）がこの自動サービス機を用いて商品の納入元等（例えば、煙草会社）に対して商品の注文及び決済をしたときの注文内容、納品書、受領書などをプリントアウトするものである。
【００１３】
カード処理手段７は、キャッシュカードまたはデビットカードのアクセス手段であり、支払代金を決済するための振込元銀行口座情報などを読み取る。入力手段９は、カード処理手段７で読み取ったカードの利用の正当性を示す暗証番号、支払代金、商品の納入元等に対して商品の注文内容、加盟店番号、商品コード、数量、納入日及び納入会社番号などを入力する。記憶手段５は、商品の納入元等に対しての支払代金を決済するための振込先情報（例えば、納入業者の銀行口座に対応した端末ＩＤ）、消費者のキャッシュカードなどの代金決済用の振込先情報（例えば、販売店の銀行口座に対応した端末ＩＤ）等、複数の振込先情報及び販売価格等を記憶する。設定手段８は、記憶手段５に記憶されている複数の振込先情報のーつを選択して振込先情報を設定するとともに、この自動サービス機のモードを通常モードと納入モードのどちらかに切換える。通信手段６は、外部との通信を行なうものであり、キャッシュカードなどの情報を取扱う電子決済センターの機能を持つクレジットサーバー（ＧＣＳ）２２などと通信する。制御部１０は、設定手段８によって選択された振込先情報（端末ＩＤ）、カードから読み取った情報（振込元銀行口座情報）、暗証番号及び振込金額を通信手段６を介して外部へ送信してバンクＰＯＳ要求、バンクＰＯＳ売上報告、メンテナンス処理要求及びメンテナンス処理報告などを行う。
【００１４】
図２は、本発明の第２実施形態に係る煙草用自動サービス機を用いた自動決済システムの概要を示すブロック図である。この実施形態の煙草用自動サービス機２０は、図１に示す自動サービス機の取り扱い商品を「煙草」としたものである。
【００１５】
煙草用自動サービス機２０には、消費者に煙草を販売する通常モードと、煙草会社２１から煙草を納入処理する納入モードの２つのモードがある。
【００１６】
まず、通常モードについて説明する。通常モード時の煙草用自動サービス機２０には、支払代金の振込先情報として煙草販売店の銀行口座に対応した端末ＩＤが自動的に設定されている。煙草用自動サービス機２０に、利用者のキャッシュカードまたはデビットカードが挿入されると、カード処理手段７が銀行口座情報等のカード情報を読み取る。以下、キャッシュカードで説明する。そして、入力手段９のテンキーからカードの暗証番号が入力されると、表示手段３の商品選択可能ランプが点灯し、利用者は商品選択釦１を操作する。
【００１７】
商品が選択されると煙草用自動サービス機２０は、選択された商品の代金、キャッシュカードから読み取った振込元の銀行口座と暗証番号、煙草販売店の銀行口座に対応した端末ＩＤを通信手段６を介してＧＣＳ２２へ送信し、バンクＰＯＳ売上要求を行う。バンクＰＯＳ売上要求とは、キャッシュカードまたはデビットカードを用いて商品の販売時点で銀行口座からの決済をする要求である。
【００１８】
このバンクＰＯＳ売上要求は、ＣＡＮセンターのＧＣＳ２２が端末ＩＤを受け取り、端末ＩＤに対応して記憶している銀行口座を振込先銀行口座として、次段のネットワークサービス２３に送信し、さらにネットワークサービス２３が中継して、各銀行のホストコンピュータ２４、２５、２６に送信する。振込が了承されれば、ネットワークサービス２３を介してＧＣＳ２２へ振込了承を返信し、ＧＣＳ２２からバンクＰＯＳ売上報告が煙草用自動サービス機２０に返信される。煙草用自動サービス機２０は、その返信を受けて商品である煙草を投出し、カードを返却して販売取引を終了する。
【００１９】
次に、納入モードについて説明する。煙草会社２１から煙草用自動サービス機２０に煙草を納入してもらうときは、販売店の人が設定手段８を操作して通常モードから納入モードに切換えるとともに、支払代金の振込先情報として納入会社である煙草会社２１の銀行口座に対応した端末ＩＤに設定する。設定は、モード切換と同時に自動で設定しても良いし、入力手段のテンキーでの会社番号入力、又はファンクションカードにより行っても良い。
【００２０】
そして、販売店の人は、煙草用自動サービス機２０に販売店のカード（販売店オーナーのカード）を挿入して、暗証番号と支払金額（商品の仕入金額）を入力手段のテンキーにより入力する。すると、煙草用自動サービス機２０は、バンクＰＯＳ売上要求をＧＣＳに対して行い、販売店の銀行口座から煙草会社２１の銀行口座への振込が了承されれば、バンクＰＯＳの売上報告をＧＣＳ２２から煙草用自動サービス機２０が受ける。これに応じて、煙草用自動サービス機２０は、販売店用の納品書と納入会社用の商品受領証を印刷手段９で印字して発行する。商品納入者である煙草会社２１は、商品受領証と引き換えに煙草を煙草用自動サービス機２０に納入して取引きを終了する。
【００２１】
このように、この煙草用自動サービス機２０を用いた自動決済システムは、銀行口座に関する情報を記憶したキャッシュカード等により購入商品の代金の支払いが可能な自動サービス２０に支払代金の振込先情報としての端末ＩＤを複数記憶させ、通常の煙草販売時はその複数記憶させた中から煙草販売店の銀行口座を振込先とする端末ＩＤを設定し、煙草仕入時は納入会社（煙草会社）の銀行口座を振込先とする端末ＩＤを設定することで、商品納入代金の支払いがバンクＰＯＳにより即時に行なわれるので、納入会社（煙草会社）は代金の受け取りリスクが解消され、販売店は支払代金の振り込みを銀行で行う必要がなくなり支払業務が効率化できるといった効果がある。
【００２２】
図３は、本発明の第３実施形態に係るカード販売用自動サービス機を用いた自動決済システムの概要を示すブロック図である。この実施形態は、図２に示す煙草用自動サービス機を用いた自動決済システムをガソリンスタンドに適用したものであり、プリペイドカードの自動販売及びガソリンの仕入取引きの自動的な即時決済をするシステムである。この実施形態が図２にしめす煙草用自動サービス機を用いた自動決済システムと異なるところは、カード販売用自動サービス機３０であり、他の構成は等価的に同一である。
【００２３】
カード販売用自動サービス機３０には、消費者に給油用プリペイドカードを販売する通常モードと、石油元売り会社３１からガソリンを納入処理する納入モードの２つのモードがある。
【００２４】
通常モードでは、カード販売用自動サービス機３０は消費者のキャッシュカードを用いて給油用プリペイドカードを販売するとともに、即時決済をする。そして、給油用プリペイドカードを用いて図示しないカード処理機によりガソリンの販売処理を行う。
【００２５】
納入モードでは、カード販売用自動サービス機３０は販売店のキャッシュカードを用いて石油元売り会社３１からガソリンを仕入れた支払代金の即時決済をする。
【００２６】
図４は、本発明の実施形態に係る自動サービス機を用いた自動決済システムの通常モード時（商品販売時）の処理動作を示すフローチャート図である。
【００２７】
まず、利用者（消費者）は、自分のキャッシュカードまたはデビットカードを自動サービス機に挿入する。以下、キャッシュカードで説明する。その後利用者は、そのキャッシュカードの暗証番号を自動サービス機に入力する。自動サービス機はキャッシュカードから利用者の銀行口座の情報を読み取り、暗証番号が入力されると、商品選択可能ランプを点灯させる。
【００２８】
利用者は、商品選択可能ランプの点灯に応じて、自動サービス機の商品選択釦を操作して商品を選択する。これに応じて自動サービス機は、ＧＣＳ２２に、利用者の銀行口座情報、暗証番号、予め通常モードで設定されている販売店の銀行口座情報に対応した端末ＩＤ及び販売商品価格を送信してバンクＰＯＳ要求を行い、ＧＣＳ２２は銀行に対して顧客口座から端末ＩＤに対応した販売店口座へ販売商品価格代金の振込み要求を行い、銀行からの取引成立を受けて自動サービス機に即時決済の成立を通知する。
【００２９】
この即時決済によって商品の販売が成立すると、自動サービス機は、商品を払い出すと共に販売データベースを更新し、その取引き結果をプリントアウトしてレシートにし、カードを返却して商品販売処理を終了する。以上が通常モードの処理である。
【００３０】
図５は、本発明の実施形態に係る自動サービス機を用いた自動決済システムの納入モード時（商品仕入時）の処理動作を示すフローチャート図である。
【００３１】
まず、販売店の人が自動サービス機を納入モードにする。そして、販売店の人は、自動サービス機の表示手段のメンテナンス画面表示にしたがって入力手段を操作して注文商品コード、数量、加盟店（販売店）番号、納入日、納入会社番号等を入力し、商品納入会社に商品の注文をする。これにより、自動サービス機は、ＧＣＳ２２と通信してＧＣＳ２２の注文データベースを更新する。商品納入会社は、ＧＣＳ２２から注文データを受け付け、商品の配送手配をする。
【００３２】
その後、商品の納入者は、注文を行った販売店に注文の商品を納入するために出向き、商品納入会社の納入ファンクションカードを自動サービス機に挿入し、加盟店番号（販売店番号）を自動サービス機に入力する。自動サービス機は、納入ファンクションカードから、納入会社番号を受け取り、納入会社番号に対応した端末ＩＤを決定する。
【００３３】
自動サービス機は、ＧＣＳ２２から入力された加盟店番号に該当する注文データを取り出して、注文内容をレシート、または仮納品書として印字する。また、自動サービス機は、納入ファンクションカードを返却する。
【００３４】
販売店の人は、レシートの注文内容を確認した後、販売店のキャッシュカードを自動サービス機に挿入し、さらにそのカードの暗証番号を入力する。また、販売店の人は、注文内容を印字したレシートの支払金額（商品の仕入金額）を入力する。
【００３５】
すると、自動サービス機はキャッシュカードから販売店の銀行口座情報を読み取り、支払金額、販売店の銀行口座情報、暗証番号及び納入ファンクションカードで設定した端末ＩＤの各情報をＧＣＳ２２に送信してバンクＰＯＳ要求を行い、ＧＣＳ２２を介して販売店の銀行口座から商品納入会社の銀行口座への振込処理要求を行ない、即時決済をする。また、即時決済の成立により、ＧＣＳ２２は注文データベースの更新を行なって、納入結果（代金等）データを商品納入会社へ送る。また、自動サービス機は、ＧＣＳ２２から即時決済の成立（バンクＰＯＳ売上報告）を受けて取引き結果のレシートを販売店用と納入者用の２部印字すると共に販売店のキャッシュカードを返却する。
【００３６】
商品納入業者は、納入結果（代金）データに基づいて取引きが正常に成立したことを確認した後、商品を販売店に納入する。ここで、納入業者用の取引き結果レシートを商品納入業者からの納品書とする。販売店の人は、販売店用の取引き結果レシートに販売店の捺印をして商品受領書とし、商品納入業者へ渡し、取引を完了する。
【００３７】
これらにより、上述の各実施形態の自動サービス機によれば、通常モードの販売時は、販売店の銀行口座に対応した端末ＩＤを振込先情報として即時決済を行ない、納入モードの商品仕入時は、納入会社の銀行口座に対応した端末ＩＤを振込先情報として即時決済するので、利用者（消費者）はキャッシュレスで商品が購入でき、納入会社は代金の受け取りをオンラインで迅速確実に行なうことができ、販売店は商品納入に対する支払代金の振り込みのために銀行に行く必要がなくなり支払業務を効率化できる。尚、実施例の振込先情報は、銀行口座に対応した端末ＩＤとしたが、銀行口座そのものでも良いし、振込先を特定できる情報であれば何でも良い。
【００３８】
【発明の効果】
以上に説明したように、本発明によれば、銀行口座に関する情報を記憶したキャッシュカード等により購入商品の代金の支払いが可能な自動サービス機に支払代金の振込先情報を複数記憶させているので、通常の商品販売時はその複数記憶させた中から販売店の銀行口座に対応した端末ＩＤを振込先情報として設定し、商品仕入時は納入会社の銀行口座に対応した端末ＩＤを振込先情報として設定することで、商品納入代金の支払いを即時に行なうことができ、納入会社は代金の受け取りリスクが解消され、販売店は支払代金の振り込みを銀行で行う必要がなくなり支払業務が効率化できるといった効果がある。
【図面の簡単な説明】
【図１】本発明の第１実施形態に係る自動サービス機の概要を示すブロック図である。
【図２】本発明の第２実施形態に係る煙草用自動サービス機を用いた自動決済システムの概要を示すブロック図である。
【図３】本発明の第３実施形態に係るガソリン用自動サービス機を用いた自動決済システムの概要を示すブロック図である。
【図４】本発明の実施形態に係る自動サービス機の通常モード時の処理動作を示すフローチャート図である。
【図５】本発明の実施形態に係る自動サービス機の納入モード時の処理動作を示すフローチャート図である。
【符号の説明】
１    商品選択釦
２    商品投出手段
３    表示手段
４    印字手段
５    記憶手段
６    通信手段
７    カード処理手段
８    設定手段
９    入力手段
１０  制御部
２０  煙草用自動サービス機
２１  煙草会社
２２  銀行センター接続処理装置（ＧＣＳ）
２３  ネットワークサービス
２４  Ａ銀行のホストコンピュータ
２５  Ｂ銀行のホストコンピュータ
２６  Ｃ銀行のホストコンピュータ
【図１】
0004319731.tif 000002
【図２】
0004319731.tif 000003
【図３】
0004319731.tif 000004
【図４】
0004319731.tif 000005
【図５】
0004319731.tif 000006